(57)【要約】      （修正有）【課題】接続する外部機器に応じて、接続先の外部機器との連携の自動的な選択および迅速化を図りうる携帯機器等を提供する。【解決手段】携帯機器１００によれば、車載機器２００（外部機器）との接続確立後に車載機器２００から受信された「第１識別子」に基づいて当該車載機器２００との連携のための通信シーケンスが調節される。携帯機器１００と車載機器２００との接続方式が判定され、当該接続方式に応じて車載機器２００との通信信号方式が調節される。そして、調節された通信シーケンスおよび通信信号方式にしたがって携帯機器１００と車載機器２００との連携が実行される。【選択図】図１
2014067188.tif 000002
【特許請求の範囲】
【請求項１】
外部機器の種類の相違に応じて異なる固有の通信信号方式にしたがって、前記外部機器と連携することにより所定のアプリケーションに応じた機能を発揮するように構成されている携帯機器であって、
前記外部機器との接続確立後に前記外部機器から第１識別子を受信した上で、前記第１識別子に基づいて前記外部機器との連携のための通信シーケンスを調節するように構成されている第１演算処理要素と、
前記外部機器との通信の過程で前記携帯機器と前記外部機器との接続方式を判定し、当該接続方式に応じて前記外部機器との通信信号方式を調節した上で、前記第１演算処理要素により調節された通信シーケンスおよび当該調節後の通信信号方式にしたがって前記外部機器との連携を実行するように構成されている第２演算処理要素と、を備えていることを特徴とする携帯機器。
【請求項２】
請求項１記載の携帯機器において、
前記第１演算処理要素が、前記第２演算処理要素が前記外部機器との通信を開始する前に前記外部機器から第２識別子を受信し、前記第２識別子に基づいて前記外部機器を通じた情報出力形態を判定した上で、当該情報出力形態に応じて定まる形式の情報を、前記所定のアプリケーションに応じた機能に関連して前記外部機器により出力される情報として生成または準備するように構成されていることを特徴とする携帯機器。
【請求項３】
請求項１または２記載の携帯機器において、
前記第１演算処理要素が、前記外部機器との接続確立後、前記外部機器との通信に基づき、前記外部機器との連携のための通信シーケンスの調節に際して前記第１識別子の要否を判定し、当該判定結果が肯定的であることを要件として前記外部機器から前記第１識別子を受信した上で、前記第１識別子に基づいて前記外部機器との連携のための通信シーケンスを調節するように構成されていることを特徴とする携帯機器。
【請求項４】
請求項３記載の携帯機器において、
前記第１演算処理要素が、前記外部機器との接続確立後、前記携帯機器および前記外部機器のそれぞれの通信プロトコルが同一であるか否かを判定し、当該判定結果が肯定的であることを要件として、前記外部機器との連携のための通信シーケンスの調節に際して前記第１識別子の要否を判定するために前記外部機器と通信するように構成されていることを特徴とする携帯機器。
【請求項５】
外部機器と、請求項１〜４のうちいずれか１つに記載の携帯機器との連携方法であって、
前記携帯機器が、前記第１演算処理要素および前記第２演算処理要素のそれぞれにより実行される演算処理を実行する、または、当該演算処理を前記携帯機器に実行させることを特徴とする方法。
【請求項６】
インストール先の携帯機器を請求項１〜４のうちいずれか１つに記載の携帯機器として機能させるアプリケーションソフトウェアであって、
前記携帯機器を構成するコンピュータが前記第１演算処理要素および前記第２演算処理要素のそれぞれとして機能するように、当該コンピュータに対する指令が記述されていることを特徴とするアプリケーションソフトウェア。
【発明の詳細な説明】
【技術分野】
【０００１】
本発明は、車載機器等の外部機器と連携することにより所定のアプリケーションに応じた機能を発揮するように構成されている携帯機器に関する。
【背景技術】
【０００２】
ナビゲーション機能を有する携帯電話機およびＰＤＡ等の携帯機器を、ディスプレイ装置を有する車載機器と連携させることによりナビゲーションシステムを実現するための技術的手法が提案されている（特許文献１参照）。
【先行技術文献】
【特許文献】
【０００３】
【特許文献１】特開２００９−１０３５２１号公報
【発明の概要】
【発明が解決しようとする課題】
【０００４】
しかし、携帯機器と車載機器との連携のためには、（１）携帯機器および車載機器のそれぞれの通信連携方式をそろえること、（２）携帯機器および車載機器の接続方式の相違に応じて通信信号を変換すること、および（３）車載機器の操作方式等の相違に応じて連携信号のシーケンスを変更することが必要である。よって、複数種類の外部機器との連携を可能とするために、機能が同一でありながらも種類が異なるアプリケーション（ソフトウェア）が携帯機器にインストールされていることが必要となり、アプリケーションの選択処理等のために連携の遅延が生じる可能性がある。
【０００５】
そこで、本発明は、接続する外部機器に応じて、接続先の外部機器との連携の自動的な選択および迅速化を図りうる携帯機器等を提供することを目的とする。
【課題を解決するための手段】
【０００６】
本発明は、外部機器の種類の相違に応じて異なる固有の通信信号方式にしたがって、前記外部機器と連携することにより所定のアプリケーションに応じた機能を発揮するように構成されている携帯機器であって、前記外部機器との接続確立後に前記外部機器から第１識別子を受信した上で、前記第１識別子に基づいて前記外部機器との連携のための通信シーケンスを調節するように構成されている第１演算処理要素と、前記外部機器との通信の過程で前記携帯機器と前記外部機器との接続方式を判定し、当該接続方式に応じて前記外部機器との通信信号方式を調節した上で、前記第１演算処理要素により調節された通信シーケンスおよび当該調節後の通信信号方式にしたがって前記外部機器との連携を実行するように構成されている第２演算処理要素と、を備えていることを特徴とする。
【０００７】
本発明は、外部機器と、本発明の携帯機器との連携方法であって、前記携帯機器が、前記第１演算処理要素および前記第２演算処理要素のそれぞれにより実行される演算処理を実行する、または、当該演算処理を前記携帯機器に実行させることを特徴とする。
【０００８】
本発明は、インストール先の携帯機器を本発明の携帯機器として機能させるアプリケーションソフトウェアであって、前記携帯機器を構成するコンピュータが前記第１演算処理要素および前記第２演算処理要素のそれぞれとして機能するように、当該コンピュータに対する指令が記述されていることを特徴とする。
【０００９】
本発明の携帯機器、連携方法およびアプリケーションソフトウェア（以下「携帯機器等」という。）によれば、当該アプリケーションソフトウェアを起動した状態で携帯機器を外部機器に接続するだけで、または、携帯機器を外部機器に接続して当該アプリケーションソフトウェアを起動するだけで、外部機器から受信された「第１識別子」および携帯機器と外部機器との「接続方式」の組み合わせパターンの別に応じて、当該外部機器との連携のための通信信号方式が自動的に調節される。ここで、外部機器との連携に際して、接続方式の判定、ひいては通信信号方式の変更設定を必要としない通信シーケンスである場合、当該判定が省略される分だけ当該外部機器との連携の迅速化が図られる。
【００１０】
前記第１演算処理要素が、前記第２演算処理要素が前記外部機器との通信を開始する前に前記外部機器から第２識別子を受信し、前記第２識別子に基づいて前記外部機器を通じた情報出力形態を判定した上で、当該情報出力形態に応じて定まる形式の情報を、前記所定のアプリケーションに応じた機能に関連して前記外部機器により出力される情報として生成または準備するように構成されていることが好ましい。
【００１１】
本発明の携帯機器等によれば、前記のように「第１識別子」および「接続方式」の組み合わせパターンの別に応じて、外部機器との連携のための通信信号方式が自動的に調節される。さらに、通信信号方式の調節のための通信開始前に外部機器から受信された「第２識別子」に基づいて判定される情報出力形態に応じて定まる形式の情報が外部機器を通じた出力情報として生成または準備される。これらの結果、外部機器との通信信号方式の調節の迅速化、さらには当該調節後の通信信号方式にしたがった外部機器との連携による情報出力の迅速化が図られる。
【００１２】
前記第１演算処理要素が、前記外部機器との接続確立後、前記外部機器との通信に基づき、前記外部機器との連携のための通信シーケンスの調節に際して前記第１識別子の要否を判定し、当該判定結果が肯定的であることを要件として前記外部機器から前記第１識別子を受信した上で、前記第１識別子に基づいて前記外部機器との連携のための通信シーケンスを調節するように構成されていてもよい。
【００１３】
当該構成の携帯機器等によれば、通信シーケンスの調節に際して第１識別子が不要な場合、当該第１識別子の受信、さらには当該受信に伴う処理が不要になる分だけ、外部機器との通信信号方式の調節の迅速化、さらには当該調節後の通信信号方式にしたがった外部機器との連携の迅速化が図られる。
【００１４】
前記第１演算処理要素が、前記外部機器との接続確立後、前記携帯機器および前記外部機器のそれぞれの通信プロトコルが同一であるか否かを判定し、当該判定結果が肯定的であることを要件として、前記外部機器との連携のための通信シーケンスの調節に際して前記第１識別子の要否を判定するために前記外部機器と通信するように構成されていることが好ましい。
【００１５】
当該構成の携帯機器等によれば、通信プロトコルが一致する外部機器との連携の迅速化が前述のように図られる一方、通信プロトコルが相違する接続対象外である外部機器との無駄な通信継続が回避されうる。
【図面の簡単な説明】
【００１６】
【図１】携帯機器および外部機器の構成説明図。
【図２】携帯機器および外部機器の連携手順に関する説明図。
【図３】識別子に関する説明図。
【発明を実施するための形態】
【００１７】
（構成）
図１に示されている本発明の一実施形態としての携帯機器１００は、携帯電話機（スマートフォン）またはタブレット型の端末装置等により構成されている。携帯機器１００は、外部機器としての車載機器２００の種類の相違に応じて異なる固有の通信信号方式にしたがって、当該車載機器２００と連携することにより所定のアプリケーションに応じた機能を発揮するように構成されている。外部機器は、車載機器２００のほか、テレビ受像機、またはオーディオ機器等、さまざまな電気製品であってもよい。
【００１８】
携帯機器１００は、入力装置１０１と、出力装置１０２と、記憶装置１０４と、演算処理装置１１０と、接続部１２１と、通信装置１２２とを備えている。
【００１９】
入力装置１０１は、タッチパネル、プッシュボタンもしくはマイク（音声入力装置）またはこれらの組み合わせにより構成され、指令内容または情報等のユーザによるマニュアル操作入力または音声入力を可能とする。出力装置１０２は、液晶パネル等のディスプレイ装置、スピーカ（音声出力装置）もしくはバイブレータ、またはこれらの組み合わせにより構成され、ユーザにその五感を通じて認識可能な形態で情報を出力する。記憶装置１０４は、ＨＤＤ、ＳＤＤまたはＲＡＭ等のメモリにより構成され、外部機器との連携により所定の機能を発揮するためのアプリケーション等、さまざまなアプリケーション（ソフトウェア）およびナビゲーションに必要なマップ情報および音響コンテンツ等の情報を格納する。
【００２０】
演算処理装置１１０は、一または複数のプロセッサまたはプログラマブルコンピュータにより構成され、記憶装置１０４の所定領域から本発明のアプリケーションソフトウェアを読み取り、当該アプリケーションにしたがって所定の演算処理を実行するようにプログラムされている。アプリケーションソフトウェアは、サーバコンピュータからインターネット等の通信網を介して、自動的にまたはユーザによる要求操作に応じて携帯機器１００に対してインストールされる。携帯機器１００の演算処理装置１１０は、本発明の「第１演算処理要素」および「第２演算処理要素」を構成する。第１演算処理要素および第２演算処理要素が物理的に別個のハードウェアにより構成されていてもよく、各演算処理要素が複数のハードウェアにより構成されていてもよい。
【００２１】
接続部１２１は、有線または無線による携帯機器１００と車載機器２００との接続を可能とする。本実施例では有線式を採用しており、有線式の接続方式としては、ＵＳＢ方式、ＵＳＢ＋ＲＣＡ方式、ＵＳＢ＋ＨＤＭＩコンバータ方式およびＵＳＢ＋ＨＤＭＩ方式等が例として挙げられる。無線式の接続方式としては、Ｂｌｕｅｔｏｏｔｈ（「Ｂｌｕｅｔｏｏｔｈ」は登録商標）、Ｗｉ−Ｆｉ（「Ｗｉ−Ｆｉ」は登録商標）および赤外線通信方式等が例として挙げられる。
【００２２】
通信装置１２２は、携帯機器１００と外部サーバ、基地局および人工衛星のうち少なくとも１つとの通信を可能とするように構成され、アプリケーション、情報および信号等を送受信する際に用いられる。通信装置１２２が車載機器２００との無線接続を可能とする付加的または代替的な接続部を構成してもよい。
【００２３】
本実施例における車載機器２００はディスプレイオーディオで構成されており、ユーザによるマニュアル入力操作を可能にする入力装置２０１と、６．１インチ液晶パネルディスプレイ装置およびスピーカ（音声出力装置）で構成される出力装置２０２と、記憶装置２０４と、演算処理装置２１０と、接続部２２１と、通信装置２２２とを備えている。車載機器２００の各構成要素（記憶装置２０４、演算処理装置２１０、接続部２２１、通信装置２２２）は、携帯機器１００の各構成要素と機能的にほぼ同一なので説明を省略する。ただし、記憶装置２０４に格納されている情報、演算処理装置２１０による演算処理内容および通信装置２２２により通信される情報等の種類は同一ではない。
【００２４】
（機能）
本発明のアプリケーションソフトウェアによってインストール先の携帯機器１００に対して付与される機能、ひいては本発明の一実施形態としての携帯機器１００と外部機器２００との連携方法について説明する。
【００２５】
まず、アプリケーションを起動した状態で、携帯機器１００の接続部１２１と車載機器２００の接続部２２１との接続を確立する。本実施例では、この接続について、ＵＳＢ方式、ＵＳＢ＋ＲＣＡ方式のいずれかが選択される。接続が確立されると、携帯機器１００と車載機器２００との第１期通信の過程で、車載機器２００から１次信号が送信され、携帯機器１００が接続部１２１を通じて当該１次信号を受信する（図２／ＳＴＥＰ０２）。
【００２６】
「１次信号」は、車載機器２００に採用されている通信プロトコルを特定するための信号である。１次信号は、ひとまとまりの信号として送受信されるほか、分割された上で複数回にわたり送受信されてもよい。第１期通信において、携帯機器１００と車載機器２００との間で１次信号以外の信号が送受信されてもよい。
【００２７】
携帯機器１００の演算処理装置１１０は、記憶装置１０４に格納されている当該携帯機器１００に採用されている通信プロトコルと、１次信号により特定される車載機器２００の通信プロトコルとが同一であるか否かを判定する（図２／ＳＴＥＰ０４）。
【００２８】
当該判定結果が肯定的である場合（図２／ＳＴＥＰ０４‥ＹＥＳ）、携帯機器１００と車載機器２００との通信が継続され、第１期通信の後の第２期通信の過程で、車載機器２００から２次信号（第１信号）が送信され、携帯機器１００が接続部１２１を通じて当該２次信号を受信する（図２／ＳＴＥＰ０６）。
【００２９】
「２次信号」は、携帯機器１００と車載機器２００との連携のための通信シーケンス（送受信される信号の内容および送受信パターンにより定義される）の種類を特定するための信号である。２次信号は、１次信号と同様にひとまとまりの信号として送受信されるほか、分割された上で複数回にわたり送受信されてもよい。第２期通信において、携帯機器１００と車載機器２００との間で２次信号以外の信号が送受信されてもよい。
【００３０】
一方、当該判定結果が否定的である場合（図２／ＳＴＥＰ０４‥ＮＯ）、携帯機器１００は、現在接続されている車載機器２００が接続対象外の機種であると判定して２次信号を受信せず、車載機器２００との通信を停止する。
【００３１】
携帯機器１００の演算処理装置１１０は、２次信号に基づき、車載機器２００との連携のための通信シーケンスの種類を判別する（図２／ＳＴＥＰ０８）。
【００３２】
通信シーケンスが第１種通信シーケンスであると判定された場合（図２／ＳＴＥＰ０８‥Ｔ１）、携帯機器１００が、車載機器２００から識別子を受信する（図２／ＳＴＥＰ１０）。「第１種通信シーケンス」は、識別子（正確には第１識別子）により識別されうる通信シーケンスを意味する。
【００３３】
図３に示されているように、識別子ＩＤは４つの識別子ＩＤ１〜ＩＤ４を備えている。第１識別子ＩＤ１は、車載機器２００の製造番号等、個々の車載機器２００、ひいては、個々の車載機器に固有の通信シーケンスを識別するための識別子である。第２識別子ＩＤ２は、車載機器２００の出力装置２０２を通じた情報出力方式を識別するための識別子である。第３識別子ＩＤ３は、車載機器２００の製造元（メーカー）を識別するための識別子である。第４識別子ＩＤ４は、車載機器２００にインストールされているアプリケーションのバージョンを識別するための識別子である。
【００３４】
第２識別子ＩＤ２に基づく判定処理（図２／ＳＴＥＰ１２参照）は、第２識別子ＩＤ２に代えて第１識別子ＩＤ１に基づいて実行されてもよい。４種の識別子ＩＤ１〜ＩＤ４のうち、第１識別子ＩＤ１以外の３種の識別子ＩＤ２〜ＩＤ４は省略され、識別子ＩＤが第１識別子ＩＤのみにより構成されていてもよい。
【００３５】
携帯機器１００の演算処理装置１１０は、識別子を構成する第２識別子に基づき、車載機器２００における情報出力方式を判定する（図２／ＳＴＥＰ１２）。情報出力方式が第１方式であると判定された場合（図２／ＳＴＥＰ１２‥Ｐ１）、情報形式が第１方式に対応するｆ（Ｐ１）であるような情報の生成または準備が開始される（図２／ＳＴＥＰ１４）。情報出力方式が第２方式であると判定された場合（図２／ＳＴＥＰ１２‥Ｐ２）、情報形式が第２方式に対応するｆ（Ｐ２）であるような情報の生成または準備が開始される（図２／ＳＴＥＰ１６）。情報出力方式の種類は３以上であってもよい。
【００３６】
第１識別子ＩＤ１および第２識別子ＩＤ２が、ひとまとまりの識別子ＩＤとして携帯機器１００と車載機器２００との間で送受信されるほか、別個に、かつ、同時または異なる時点で携帯機器１００と車載機器２００との間で送受信されてもよい。後述するように第２識別子に応じて定まる形式（データフォーマット）の情報生成または準備に要する時間が長いほど、第２識別子の送受信時点が、第１識別子の送受信時点よりも早期であってもよい。
【００３７】
本実施形態においては、出力装置２０２としてディスプレイを備えている車載機器２００の操作方式として「タッチパネル方式（第１方式）」および「ジョグダイヤル方式（第２方式）」の別が第２識別子により判定される。車載機器２００の操作方式がタッチパネル方式である場合、画像情報の出力方式は、操作ボタンの画像等の出力が必要な出力方式である。これに対して、車載機器２００の操作方式がタッチパネル方式以外の方式である場合、画像情報の出力方式は、操作ボタン等の画像の出力が不要な出力方式である。
【００３８】
このため、車載機器２００の操作方式の別に応じて、操作ボタンとの重複回避の要否の別等に応じて、サイズ、アスペクト比および解像度等のパラメータの値が異なる画像コンテンツの準備が開始される。「画像情報」には、映画、テレビ番組、ゲームまたはナビゲーション用のマップ等の画像コンテンツが含まれる。
【００３９】
また、出力装置２０２として複数のスピーカーを備えている車載機器２００の音声情報の出力方式が、当該複数のスピーカーからの音声出力パターンが音響コンテンツの内容に応じて変更される方式（第１方式）であるか否か（第２方式）が第２識別子により判定される。車載機器２００の音声出力方式が第１方式である場合、音楽またはメッセージ等の音声情報（音響コンテンツ）の種別等に応じて出力されるスピーカーが選定される必要がある。これに対して、車載機器２００の音声出力方式が当該方式以外の方式である場合、音響コンテンツの種別等とは無関係に一律にすべてのスピーカーから音声が出力されればよい。このため、車載機器２００の音声出力方式の別に応じて、複数のスピーカーによる音声出力パターンを指定するパラメータ等の有無が相違する音響コンテンツの準備が開始される。
【００４０】
携帯機器１００は、識別子を構成する第１識別子に基づき、車載機器２００との連携のための通信シーケンスを判定する（図２／ＳＴＥＰ１８）。通信シーケンスが第１通信シーケンスであると判定された場合（図２／ＳＴＥＰ１８‥Ｓ１）、携帯機器１００および車載機器２００の接続方式が判別される（図２／ＳＴＥＰ２０）。「第１通信シーケンス」は、接続方式の別に応じて通信信号方式が変更または調節される必要がある通信シーケンスを意味する。
【００４１】
接続方式が第１接続方式であると判定された場合（図２／ＳＴＥＰ２０‥Ｑ１）、信号方式が第１接続方式に応じた第１信号方式ｇ（Ｑ１）に調節される（図２／ＳＴＥＰ２２）。接続方式が第２接続方式であると判定された場合（図２／ＳＴＥＰ２０‥Ｑ２）、信号方式が第２接続方式に応じた第２信号方式ｇ（Ｑ２）に調節される（図２／ＳＴＥＰ２４）。本実施形態では、２種類の接続方式（たとえばＵＳＢ方式およびＵＳＢ＋ＲＣＡ方式）の別に応じて２種類の接続方式のうち一方が選択されるように構成されているが、接続方式の種類およびそれに応じた選択対象である接続方式の種類が３つ以上であってもよい。そして、当該調節後の信号方式および第１通信シーケンスＳ１にしたがって、携帯機器１００と車載機器２００との連携が実行される（図２／ＳＴＥＰ２６）。
【００４２】
通信シーケンスが第２通信シーケンスであると判定された場合（図２／ＳＴＥＰ１８‥Ｓ２）、第２通信シーケンスＳ２にしたがって、携帯機器１００と車載機器２００との連携が実行される（図２／ＳＴＥＰ２８）。「第２通信シーケンス」は、接続方式の別に応じて通信信号方式が変更または調節される必要がない通信シーケンスを意味する。
【００４３】
通信シーケンスが第２種通信シーケンスであると判定された場合（図２／ＳＴＥＰ０８‥Ｔ２）、第３通信シーケンスＳ３にしたがって、携帯機器１００と車載機器２００との連携が実行される（図２／ＳＴＥＰ３０）。「第２種通信シーケンス」は、識別子（正確には第１識別子）により識別されない通信シーケンスを意味する。「第３通信シーケンス」は、本実施形態では第２種通信シーケンスに該当する唯一の通信シーケンスである。
【００４４】
第３通信シーケンスにしたがった通信に際して、携帯機器１００と外部機器２００との接続方式の判定および当該判定結果の別に応じた信号方式の調節が実行されてもよい（図２／ＳＴＥＰ２０，２２，２４参照）。
【００４５】
各通信シーケンスにしたがって携帯機器１００と車載機器２００とが連携することにより、携帯機器１００が有する所定のアプリケーションに応じた機能が発揮される。たとえば、携帯機器１００のナビゲーション用アプリケーションにより、ＧＰＳ信号に基づき計算された車両現在位置、記憶装置１０４に格納されている地図情報に基づいて探索された目的位置までのルート、および当該地図情報が車載機器２００に送信された上で、出力装置２０２を通じて出力されてもよい。
【００４６】
また、エアコン等の車載装置の制御用アプリケーションにより、制御に必要な文字情報等を含む画像情報が車載機器２００に送信された上で、出力装置２０２を通じて出力されてもよい。さらに、音楽アプリケーションにより、音響コンテンツが車載機器２００に送信された上で、出力装置２０２を通じて出力されてもよい。
【００４７】
（作用効果）
本発明の携帯機器１００によれば、携帯機器１００と車載機器２００とを接続するだけで、車載機器２００から受信された「第１識別子」および携帯機器１００と車載機器２００との「接続方式」の組み合わせパターンの別に応じて、当該車載機器２００との連携のための通信信号方式が自動的に調節される（図２／ＳＴＥＰ１８‥Ｓ１→ＳＴＥＰ２０‥Ｑ１，Ｑ２→ＳＴＥＰ２２，２４参照）。ここで、車載機器２００との連携に際して、接続方式の判定、ひいては通信信号方式の変更設定を必要としない通信シーケンス（第２通信シーケンス）である場合、当該判定が省略される分だけ当該車載機器２００との連携の迅速化が図られる（図２／ＳＴＥＰ１８‥Ｓ２→ＳＴＥＰ２８参照）。
【００４８】
さらに、通信信号方式の調節のための通信開始前に車載機器２００から受信された「第２識別子」に基づいて判定される情報出力形態に応じて定まる形式の情報が車載機器２００を通じた出力情報として生成または準備される。この結果、車載機器２００との通信信号方式の調節の迅速化、さらには当該調節後の通信信号方式にしたがった車載機器２００との連携による情報出力の迅速化が図られる（図２／ＳＴＥＰ１２‥Ｐ１，Ｐ２→ＳＴＥＰ１４，１６参照）。
【００４９】
また、通信シーケンスの調節に際して第１識別子が不要な場合（通信シーケンスが第２種シーケンスに分類される場合）、当該第１識別子の受信、さらには当該受信に伴う処理が不要になる。この結果、車載機器２００との通信信号方式の調節の迅速化、さらには当該調節後の通信信号方式にしたがった車載機器２００との連携の迅速化が図られる（図２／ＳＴＥＰ０８‥Ｔ２→ＳＴＥＰ３０参照）。
【符号の説明】
【００５０】
１００‥携帯機器、１１０‥演算処理装置（第１演算処理要素、第２演算処理要素）、２００‥車載機器（外部機器）。
【図１】
2014067188.tif 000003
【図２】
2014067188.tif 000004
【図３】
2014067188.tif 000005